(57)【要約】【課題】施設情報画面に掲載された情報を自動的に取得して登録することができるようにする。【解決手段】施設情報画面を表示する表示装置と、前記施設情報画面から位置特定情報を抽出する情報抽出部と、前記位置特定情報に基づいて設定された指定地点を含む施設情報を登録する施設情報登録部と、登録された施設情報を格納する施設情報格納部とを有する。【選択図】          図１
2004198158.tif 000002
【特許請求の範囲】
【請求項１】
（ａ）施設情報画面を表示する表示装置と、
（ｂ）前記施設情報画面から位置特定情報を抽出する情報抽出部と、
（ｃ）前記位置特定情報に対応する施設を検索する検索部と、
（ｄ）検索された施設の地点を含む施設情報を登録する施設情報登録部と、
（ｅ）登録された施設情報を格納する施設情報格納部とを有することを特徴とする情報表示システム。
【請求項２】
（ａ）前記表示装置及び送受信部を備える情報端末と、
（ｂ）前記情報抽出部、検索部、施設情報登録部、施設情報格納部及び送受信部を備えるサーバとから成る請求項１に記載の情報表示システム。
【請求項３】
前記表示装置、情報抽出部、検索部、施設情報登録部及び施設情報格納部を備える情報端末から成る請求項１に記載の情報表示システム。
【請求項４】
前記位置特定情報は電話番号及び住所であり、前記施設情報登録部は前記電話番号と住所との整合性を検証して前記施設の地点を設定する請求項１〜３のいずれか１項に記載の情報表示システム。
【請求項５】
前記施設情報は予定日時を含むスケジュールである請求項１〜４のいずれか１項に記載の情報表示システム。
【請求項６】
前記施設情報は事前に報知される請求項５に記載の情報表示システム。
【請求項７】
前記予定日時を経過したスケジュールは削除される請求項５又は６に記載の情報表示システム。
【請求項８】
前記予定日時を経過したスケジュールは予定日時が変更される請求項５又は６に記載の情報表示システム。
【発明の詳細な説明】
【０００１】
【発明の属する技術分野】
本発明は、情報表示システムに関するものである。
【０００２】
【従来の技術】
従来、自動車等の車両に配設されるナビゲーション装置においては、道路地図データに基づいて、設定された出発地から目的地までの最適な経路を探索して、表示画面に表示するようになっている。
【０００３】
また、目的地及び該目的地を訪れる日付をあらかじめ登録しておくと、登録された当日に自動的に前記目的地までの経路を探索し、該経路を表示画面に表示する機能を有するナビゲーション装置も提供されている（例えば、特許文献１参照。）。この場合、車両の運転者等の操作者が、行楽地、観光地、訪問先等の目的地をあらかじめ設定して登録し、かつ、該目的地を訪れる日付、例えば、次の休日の月日を入力して登録する。そして、ナビゲーション装置は、前記休日になると前記目的地までの経路を自動的に探索し、該経路が表示画面に表示されるようになっている。これにより、操作者は、目的地までの適切な経路を把握することができるとともに、あらかじめ予定された目的地までの経路を予定の当日に忘れることなく把握することができる。
【０００４】
さらに、インターネットに接続することができるナビゲーション装置も提供されている。この場合、操作者は、インターネットを経由してホームページ等のウェブ（Ｗｅｂ）ページにアクセスすることによって、行楽地、観光地、訪問先等における施設やイベントに関する情報を取得することができる。
【０００５】
【特許文献１】
特開平１１−５１６７１号公報
【０００６】
【発明が解決しようとする課題】
しかしながら、前記従来のナビゲーション装置においては、インターネットに接続することによって取得した情報に基づいて目的地を設定する場合、操作者は、前記情報の中から地図上における目的地の位置を特定することができる情報を抽出し、ナビゲーション装置を操作して前記情報を入力する必要があった。そのため、目的地の設定に時間と手間がかかってしまう。
【０００７】
例えば、ナビゲーション装置をインターネットに接続し、検索を行って施設の情報を取得し、前記施設を目的地として設定する場合、操作者は、まず、ウェブページに掲載された前記施設の位置を特定することができる情報である住所や電話番号を探し出し、続いて、前記ナビゲーション装置に前記住所や電話番号を入力して目的地を設定する必要がある。そのため、ナビゲーション装置をインターネットに接続して検索を行うための操作、及び、ナビゲーション装置に住所や電話番号を入力して目的地を設定するための操作を行う必要があり、さらに、間違いなく入力するために、前記住所や電話番号をメモに取る必要もある。そのため、インターネットに接続してから目的地を設定するまでに、長い時間と多くの手間がかかり、操作者は煩わしく感じてしまう。
【０００８】
本発明は、前記従来の問題点を解決して、施設情報画面に掲載された情報を自動的に取得して登録することができる情報表示システムを提供することを目的とする。
【０００９】
【課題を解決するための手段】
そのために、本発明の情報表示システムにおいては、施設情報画面を表示する表示装置と、前記施設情報画面から位置特定情報を抽出する情報抽出部と、前記位置特定情報に対応する施設を検索する検索部と、検索された施設の地点を含む施設情報を登録する施設情報登録部と、登録された施設情報を格納する施設情報格納部とを有する。
【００１０】
本発明の他の情報表示システムにおいては、さらに、前記表示装置及び送受信部を備える情報端末と、前記情報抽出部、検索部、施設情報登録部、施設情報格納部及び送受信部を備えるサーバとから成る。
【００１１】
本発明の更に他の情報表示システムにおいては、さらに、前記表示装置、情報抽出部、検索部、施設情報登録部及び施設情報格納部を備える情報端末から成る。
【００１２】
本発明の更に他の情報表示システムにおいては、さらに、前記位置特定情報は電話番号及び住所であり、前記施設情報登録部は前記電話番号と住所との整合性を検証して前記施設の地点を設定する。
【００１３】
本発明の更に他の情報表示システムにおいては、さらに、前記施設情報は予定日時を含むスケジュールである。
【００１４】
本発明の更に他の情報表示システムにおいては、さらに、前記スケジュールは事前に報知される。
【００１５】
本発明の更に他の情報表示システムにおいては、さらに、前記予定日時を経過したスケジュールは削除される。
【００１６】
本発明の更に他の情報表示システムにおいては、さらに、前記予定日時を経過したスケジュールは予定日時が変更される。
【００１７】
【発明の実施の形態】
以下、本発明の実施の形態について図面を参照しながら詳細に説明する。
【００１８】
図２は本発明の第１の実施の形態における情報表示システムの構成を示す概念図である。
【００１９】
図において、１１はサーバとしての情報提供サーバであり、ＣＰＵ、ＭＰＵ等の演算手段、半導体メモリ、磁気ディスク、光ディスク等の記憶手段、通信インターフェイス等を備えるコンピュータの中に構成される。なお、該コンピュータは単一のコンピュータではなく、複数のコンピュータが有機的に結合された、いわゆる、分散型サーバであってもよい。また、前記コンピュータの中に他のシステムが構築されていてもよい。さらに、前記情報提供サーバ１１は、他のコンピュータの中に構築されたシステムの一つであってもよい。
【００２０】
そして、１２ａ及び１２ｂは、操作者によって操作される第１の情報端末及び第２の情報端末としての情報端末である。該情報端末は、実際には多数であるが、本実施の形態においては、説明の都合上、１２ａ及び１２ｂで代表する。また、前記操作者は、例えば、乗用車、トラック、バス、オートバイ等の車両の運転者、同乗者等であるが、歩行者であっても、公共交通機関の利用者であっても、いかなる者であってもよい。
【００２１】
なお、前記情報端末１２ａ、１２ｂは、ＣＰＵ、ＭＰＵ等の演算装置、半導体メモリ、磁気ディスク、光ディスク等の記憶装置、液晶ディスプレイ、ＬＥＤ（Ｌｉｇｈｔ  Ｅｍｉｔｔｉｎｇ  Ｄｉｏｄｅ）ディスプレイ、ＣＲＴ等の表示装置、キーボード、ジョイスティック、十字キー、押しボタン、リモートコントローラ、タッチパネル等の入力装置、前記表示装置を制御する表示制御装置、スピーカ、イヤホン、ヘッドホン等の音声出力装置、及び、通信インターフェイス等の送受信部を備える。前記情報端末１２ａ、１２ｂは、例えば、乗用車、トラック、バス、オートバイ等の車両に搭載されるナビゲーション装置であるが、据置電話機、携帯電話機、ＰＨＳ（Ｐｅｒｓｏｎａｌ  Ｈａｎｄｙ−Ｐｈｏｎｅ  Ｓｙｓｔｅｍ）電話機、携帯情報端末、ＰＤＡ（Ｐｅｒｓｏｎａｌ  Ｄｉｇｉｔａｌ  Ａｓｓｉｓｔａｎｔ）、パーソナルコンピュータ、ゲーム機、デジタルテレビ等いかなるものであってもよい。
【００２２】
さらに、前記情報端末１２ａ、１２ｂは、図示されない現在位置検出装置を有するものであってもよい。該現在位置検出装置は、前記情報端末１２ａ、１２ｂが、例えば、ナビゲーション装置である場合、一般的には、ＧＰＳ（Ｇｌｏｂａｌ  Ｐｏｓｉｔｉｏｎｉｎｇ  Ｓｙｓｔｅｍ）、地磁気センサ、距離センサ、ステアリングセンサ、ビーコンセンサ、ジャイロセンサ等によって現在位置を検出する。また、例えば、携帯電話機、携帯情報端末等である場合、一般的には、該携帯電話機、携帯情報端末等が在圏する基地局との通信に基づいて、該基地局の位置を現在位置として検出する。さらに、携帯電話機、携帯情報端末等にＧＰＳ受信機を取り付けることもできる。
【００２３】
ここで、前記情報提供サーバ１１及び情報端末１２ａ、１２ｂはネットワーク２７を介して互いに通信可能に接続される。なお、該ネットワーク２７は、有線又は無線の公衆通信回線網、専用通信回線網、携帯電話回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、衛星通信回線網等いかなる通信回線網であってもよく、これらを適宜組み合わせたものであってもよい。また、放送衛星によるＣＳ放送やＢＳ放送を利用して通信してもよく、地上波デジタルテレビ放送を利用して通信してもよく、ＦＭ多重放送を利用して通信してもよく、また、道路脇に設置されている光ビーコンや電波ビーコンを利用して通信してもよい。
【００２４】
そして、本実施の形態における情報表示システムは前記情報提供サーバ１１及び情報端末１２ａ、１２ｂによって構成される。なお、前記操作者は、あらかじめ前記情報表示システムに登録され、登録ＩＤを所有する者である。また、前記情報端末１２ａ、１２ｂも、それぞれ、登録されている。
【００２５】
本実施の形態において、前記情報端末１２ａ、１２ｂはブラウザ（Ｂｒｏｗｓｅｒ）ソフトウェアを格納し、インターネット等を経由してウェブサイトのページやホームページ、すなわち、ウェブページにアクセスして、該ウェブページに掲載された各種の情報をブラウズする、すなわち、閲覧することができる。また、ＡＳＰ（Ａｐｐｌｉｃａｔｉｏｎ  Ｓｅｒｖｉｃｅ  Ｐｒｏｖｉｄｅｒ）等のウェブサイトにアクセスして所望の情報が掲載されているウェブページの検索を依頼することもできる。さらに、ＡＳＰ等のウェブサイトから各種のアプリケーションプログラムをダウンロードすることができるようにしてもよい。
【００２６】
なお、前記情報提供サーバ１１は、前記情報端末１２ａ、１２ｂから送信された出発地、目的地等の情報、及び、その他の各種情報に基づいて目的地までの経路等の情報やその他の各種情報を前記情報端末１２ａ、１２ｂに提供するための情報提供部１３、前記情報端末１２ａ、１２ｂと情報のやり取りをする送受信部１４、前記情報を逐次、前記情報端末１２ａ、１２ｂ毎に格納する端末情報格納部１５、及び、前記情報端末１２ａ、１２ｂを登録ＩＤ等に基づいて特定するための端末特定部１６を有する。
【００２７】
そして、前記情報提供部１３は、地図情報格納部としての地図データベース１７、ＰＯＩ（Ｐｏｉｎｔ  ｏｆ  Ｉｎｔｅｒｅｓｔ）データベース１８、道路データベース１９、道路交通情報格納部としての交通情報データベース２０、スケジュール格納部としてのＰＩＭ（Ｐｅｒｓｏｎａｌ  Ｉｎｆｏｒｍａｔｉｏｎ  Ｍａｎａｇｅ）データベース２１等を有する。
【００２８】
ここで、前記地図データベース１７は、地図を描画するためのノード、リンク、座標、施設名称等の地図情報を格納する。また、前記ＰＯＩデータベース１８は、出発地、目的地、通過点等となる地点を検索するための施設データ、タウンページデータ、イベントデータ等を格納する。さらに、前記道路データベース１９は、道路の探索コスト、道路の種別等の経路を探索するためのデータを格納する。
【００２９】
また、前記交通情報データベース２０は、例えば、ＶＩＣＳ（Ｒ）と称される道路交通情報通信システムにおいては、警察、日本道路公団等の交通管制システムの情報を収集して作成した道路の渋滞等に関する情報や交通規制情報等の道路交通情報を格納する。さらに、前記交通情報データベース２０は、祭り、パレード、花火大会等のイベントの開催予定場所、予定日時等のイベント予定情報、例えば、駅周辺や大型商業施設周辺の道路には週末を除く毎日の特定時刻に渋滞が発生するとか、海水浴場周辺の道路には夏季休暇時期に渋滞が発生する等の統計的渋滞情報、気象庁が作成する天気予報等の気象情報等も格納することが望ましい。
【００３０】
そして、前記ＰＩＭデータベース２１には、操作者の一人一人に対応する個人ファイルが作成され格納されており、該個人ファイルのそれぞれには各操作者のスケジュール、カレンダー、住所録、電話帳、登録地点表、メモ等の個人的情報が格納されている。ここで、前記個人ファイルの中には、スケジュール、カレンダー、住所録、電話帳、登録地点表、メモ等の個人的情報を、それぞれ、格納するためのスケジュールファイル、カレンダーファイル、住所録ファイル、電話帳ファイル、登録地点表ファイル、メモファイル等の属性ファイルが、前記個人的情報の属性に対応して展開され、構築されている。なお、前記個人ファイルは、あらかじめ登録された操作者毎に作成されるが、情報端末毎に作成されるようにしてもよいし、前記操作者が複数の登録ＩＤを所有する場合、該登録ＩＤ毎に作成されるようにしてもよい。
【００３１】
なお、前記地図データベース１７、ＰＯＩデータベース１８、道路データベース１９、交通情報データベース２０、ＰＩＭデータベース２１等が格納される情報提供サーバ１１の記憶手段は、情報提供サーバ１１の内部記憶媒体であってもよいし、外部記憶媒体であってもよい。この場合、前記内部記憶媒体及び外部記憶媒体は、磁気テープ、磁気ディスク、磁気ドラム、ＣＤ−ＲＯＭ、ＭＤ、ＤＶＤ−ＲＯＭ、光ディスク、ＭＯ、ＩＣカード、光カード、メモリカード等いかなる種類のものであってもよい。
【００３２】
また、前記情報提供部１３は、前記地図情報に基づいて地図を描画する地図作成部２２、前記ＰＯＩデータベース１８に格納された情報に基づいて施設や目的地のような所定の地点の座標情報、名称、住所等の地点情報を検索する検索部としてのＰＯＩ検索部２３、及び、前記道路データベース１９、交通情報データベース２０等に格納された情報に基づいて現在位置から目的地までの経路を探索する経路探索部２４を有する。
【００３３】
さらに、前記情報提供部１３は、前記情報端末１２ａ、１２ｂから受信した情報に基づいて各操作者のスケジュール、カレンダー、住所録、電話帳、登録地点表、メモ等の作成や更新を行ったり、前記スケジュール、カレンダー、住所録、電話帳、登録地点表、メモ等に含まれる情報を抽出したりするＰＩＭ処理部２５、及び、前記情報端末１２ａ、１２ｂからの要求に対応して、該情報端末１２ａ、１２ｂに送信するための情報を編集したり作成したりする送信情報作成部２６を有する。
【００３４】
そして、前記情報提供部１３は、図示されない目的地設定部、到着予測時刻算出部、比較部等を有するとともに、ＰＩＭプログラム、経路探索用プログラム等の各種プログラムを格納する。ここで、前記ＰＩＭプログラムは、携帯情報端末、ＰＤＡ、パーソナルコンピュータ等において一般的に利用されている個人のスケジュール、カレンダー、住所録、電話帳、登録地点表、メモ等を管理するためのプログラムである。
【００３５】
この場合、前記目的地設定部は、目的地、通過地点、登録地点等の位置情報がスケジュール、カレンダー、住所録、電話帳、登録地点表、メモ等に登録されている時に、前記位置情報に基づいて目的地設定を行う。また、到着予測時刻算出部は、経路探索部２４によって探索された経路の情報、例えば、道路区間毎の所要時間データの和に基づいて、前記目的地に到着するであろう時刻、すなわち、到着予測時刻を算出する。なお、前記到着予測時刻算出部は、一定時間毎に到着予測時刻を更新するものであってもよい。この際、交通情報データベース２０に格納された最新の渋滞情報、交通規制情報なども加味して、到着予測時刻を算出し直すようにしてもよい。そして、前記比較部は、前記到着予測時刻と到着希望時刻とを比較する。
【００３６】
一方、前記情報端末１２ａ、１２ｂは、前記情報提供サーバ１１と前記スケジュール、カレンダー、住所録、電話帳、登録地点表、メモ等に含まれる情報やその他の情報の送受信を行う送受信部及び表示制御装置を有する。ここで、該表示制御装置は、表示装置に前記情報提供サーバ１１から送信されたカレンダー及び地図を表示させ、該地図上に前記情報端末１２ａ、１２ｂの現在位置、目的地、周辺施設等を表示させる。さらに、前記到着希望時刻、到着予測時刻、目的地の名称、住所等の情報、施設データ、タウンページデータ、イベントデータ、道路交通情報、イベント予定情報、統計的渋滞情報、気象情報等の各種情報も表示させることが望ましい。
【００３７】
ここで、本実施の形態においては、情報提供サーバ１１が、地図データベース１７、ＰＩＭデータベース２１等のデータベース及び経路探索部２４、ＰＩＭ処理部２５等の手段を有し、情報端末１２ａ、１２ｂからの要求に応じて経路探索や、スケジュール、カレンダー、住所録、電話帳、登録地点表、メモ等の作成、更新、編集等を行い、その結果を前記情報端末１２ａ、１２ｂに送信するようになっているので、該情報端末１２ａ、１２ｂの構成を簡素化することができる。そのため、前記情報端末１２ａ、１２ｂを小型軽量化することが可能となり、製造コストを低くすることができる。
【００３８】
なお、前記情報端末１２ａ、１２ｂが前記地図データベース１７等のデータベース及び経路探索部２４等の手段を有し経路探索等を行うようにすることもできる。この場合、前記情報提供サーバ１１の構成を簡素化することができ、運営コストを低くすることができる。
【００３９】
さらに、ＰＯＩデータベース１８、道路データベース１９、交通情報データベース２０、ＰＩＭデータベース２１、ＰＯＩ検索部２３、ＰＩＭ処理部２５、目的地設定部、到着予測時刻算出部、比較部等も、情報提供サーバ１１ではなく、情報端末１２ａ、１２ｂが有するようにすることもできる。
【００４０】
なお、機能の観点から、前記情報端末１２ａ、１２ｂの表示装置又は音声出力装置は探索された経路を案内する経路案内部として機能し、ＰＩＭ処理部２５は、ウェブページの画面等の施設情報画面から位置特定情報を抽出する情報抽出部及び施設の地点を含む施設情報を登録する施設情報登録部として機能し、ＰＩＭデータベース２１は登録された施設情報を格納する施設情報格納部として機能する。また、前記施設情報は、施設に関する各種の情報であるが、予定日時等を含むスケジュールであってもよい。
【００４１】
次に、前記構成の情報表示システムの動作について説明する。
【００４２】
ここでは、情報提供サーバ１１が、地図データベース１７、ＰＯＩデータベース１８、交通情報データベース２０、ＰＩＭデータベース２１等のデータベース及び経路探索部２４、ＰＩＭ処理部２５等の手段を有し、情報端末１２ａからの要求に応じて経路探索や、スケジュール、カレンダー、住所録、電話帳、登録地点表、メモ等の作成、更新、編集等を行い、その結果を情報端末１２ａに送信するようになっている場合について説明する。そして、前記情報端末１２ａは車両に搭載されるナビゲーション装置であると想定する。
【００４３】
なお、前記情報端末１２ｂが携帯電話機又はＰＨＳ電話機であり、前記操作者は前記情報端末１２ｂを操作して、経路探索や、スケジュール、カレンダー、住所録、電話帳、登録地点表、メモ等の作成、更新、編集等の要求を情報提供サーバ１１に送信し、その結果を車両に搭載されるナビゲーション装置である情報端末１２ａに送信するようにしてもよい。この場合、同一の操作者が前記情報端末１２ａ及び１２ｂを操作するものとする。
【００４４】
図１は本発明の第１の実施の形態における情報端末の表示画面を示す第１の図、図３は本発明の第１の実施の形態における情報端末の表示画面を示す第２の図、図４は本発明の第１の実施の形態における情報を表示する動作を示すフローチャート、図５は本発明の第１の実施の形態における電話番号を抽出する動作を示すフローチャート、図６は本発明の第１の実施の形態における施設情報を登録する動作を示すフローチャートである。
【００４５】
まず、操作者は、情報端末１２ａを操作し、ネットワーク２７を経由して所望の情報が掲載されているウェブページの検索を行うサービスを提供する検索サイトと通称されるウェブサイトにアクセスする。そして、前記操作者は、仕事、勉強、趣味、スポーツ、外食、見物、買い物、雑用等に関する情報が掲載されているウェブページの検索を行う。ここでは、情報を登録する対象である施設として所定の条件を満たすレストランの情報が掲載されているウェブページの検索を行った場合について説明する。
【００４６】
この場合、前記操作者は前記情報端末１２ａに格納されているブラウザソフトウェアを起動させ、ウェブサイトにアクセスして、検索条件入力画面を前記情報端末１２ａの表示装置に表示させる。そして、料理の種類、料金等の条件を入力して検索を行うと、前記条件を満たすレストランの情報が掲載されているウェブページのＵＲＬ（Ｕｎｉｆｏｒｍ  Ｒｅｓｏｕｒｃｅ  Ｌｏｃａｔｏｒ）やリンクが形成されたレストランの名称等が表示される。なお、前記リンクは、ＨＴＭＬ（Ｈｙｐｅｒ  Ｔｅｘｔ  Ｍａｒｋｕｐ  Ｌａｎｇｕａｇｅ）においてアンカータグに挟まれた文字列をクリックすると、前記アンカータグが指定するファイルや文字列にジャンプする仕組みである。
【００４７】
続いて、前記前記操作者は、前記情報端末１２ａの表示装置に表示された前記ＵＲＬやリンクが形成されたレストランの名称等をクリックする。ここでは、前記レストランの名称をクリックしたものとする。これにより、前記レストランのホームページのように前記レストランの情報が掲載されているウェブページにジャンプして、施設情報画面として前記ウェブページが、図１に示されるように、情報表示画面３０が前記情報端末１２ａの表示装置に表示される。
【００４８】
ここで、前記情報表示画面３０には、施設の名称としてのレストランの名称３１、施設の住所としてのレストランの住所３２、施設の電話番号としてのレストランの電話番号３３が含まれる。本実施の形態において、情報提供サーバ１１のＰＯＩデータベース１８に格納されている施設データ、タウンページデータ等には、施設の住所３２と電話番号３３との対応表が含まれている。そして、電話帳等によって公表された電話番号３３や操作者等によってあらかじめ登録された電話番号３３の場合、該電話番号３３に基づいて対応する施設の住所３２を検索することができる。また、前記情報提供サーバ１１の地図情報データベース１７に格納されている地図情報に基づいて、住所３２に対応する地図上の座標を特定することができる。そのため、本実施の形態において、目的地である指定地点、すなわち、施設の地点としての前記施設の住所３２及び施設の電話番号３３は、施設の位置を特定するための位置特定情報として機能する。なお、図１に示される例において、情報表示画面３０には前記住所３２及び電話番号３３は、それぞれ、一つずつ含まれているが、複数であってもよい。
【００４９】
また、前記情報表示画面３０には、操作者が前記レストランの位置特定情報を取得することを指示するための取得指示手段としての取得ボタン３４が含まれている。なお、該取得ボタン３４は省略することもできる。この場合、情報端末１２ａの入力装置が取得指示手段として機能する。すなわち、操作者は、情報端末１２ａのキーボード、ジョイスティック、十字キー、押しボタン、リモートコントローラ等の入力装置を操作して、前記レストランの位置特定情報を取得することを指示することができる。
【００５０】
そして、操作者が前記取得ボタン３４をクリックしたり押したりすることによって前記レストランの位置特定情報を取得することを指示すると、前記情報表示画面３０及び前記レストランの位置特定情報を取得することの指示が情報提供サーバ１１に送信される。続いて、該情報提供サーバ１１のＰＩＭ処理部２５は、自然語で記載された文章からキーワード等の所定の語句を抽出する機能を有しているので、該機能を使用して前記情報表示画面３０から電話番号３３を抽出する。
【００５１】
この場合、前記ＰＩＭ処理部２５は、電話番号３３と住所３２との整合性を検証して指定地点を設定するようになっている。まず、前記ＰＩＭ処理部２５は、前記情報表示画面３０からテキストデータを抽出し、該テキストデータの中から数字データを検索する。そして、四桁（けた）連続した数字データが存在するか否かを判断する。通常の文章、すなわち、テキストにおいて使用される数字は三桁以下である場合が多いので、四桁連続した数字データは、電話番号３３に含まれる数字である蓋（がい）然性が非常に高いと考えることができる。
【００５２】
続いて、前記ＰＩＭ処理部２５は、前記四桁連続した数字データ及びテキストにおいて前記数字データの前方に位置する数字データを、すなわち、前記四桁連続した数字データを含む前方の数字データを抽出する。そして、抽出した数字データの桁数が九又は十であるか否かを判断する。我が国における電話番号は九桁又は十桁であるので、桁数が九又は十でない数字データは、電話番号３３でないと考えることができる。
【００５３】
続いて、前記ＰＩＭ処理部２５は、前記九桁又は十桁の数字データの最初の数字、すなわち、第一桁目の数字が０（ゼロ）であるか否かを判断する。我が国における電話番号の市外局番は０から始まるので、第一桁目の数字が０でなければ前記数字データは電話番号３３でなく、第一桁目の数字が０であれば前記数字データは電話番号３３であると判断する。そして、前記前記ＰＩＭ処理部２５は、テキストデータの中から検索したすべての数字データに関して、前述された動作を繰り返し、電話番号３３であるか否かを判断する。これにより、前記情報表示画面３０から電話番号３３が抽出される。なお、前記情報表示画面３０にレストランの電話番号３３以外の電話番号が含まれているとき、すなわち、複数の電話番号が含まれているときは、すべての電話番号が抽出される。
【００５４】
次に、前記ＰＩＭ処理部２５は、抽出した前記電話番号３３に基づいて、施設としてのレストランの位置を特定する。この場合、前記ＰＩＭ処理部２５は、まず、ＰＯＩデータベース１８に格納されている施設の住所３２と電話番号３３との対応表に基づいて、前記情報表示画面３０から抽出されたすべての電話番号について、対応する施設を検索する。そして、それぞれの電話番号について対応する施設があるか否かを判断する。なお、対応する施設がない場合には、次の電話番号について対応する施設があるか否かを判断する。
【００５５】
また、対応する施設がある場合、前記ＰＩＭ処理部２５は、前記情報表示画面３０から抽出したテキストデータの中からレストランの住所３２を抽出する。通常、テキストデータの中から住所を正確に抽出することは困難なので、ここでは、都道府県名を抽出し、それ以下の行政区画の名称、すなわち、市町村名や番地等は抽出しないようになっている。都道府県名は、「都」、「道」、「府」又は「県」という文字を抽出することによって、正確に識別することができる。そして、前記ＰＩＭ処理部２５は、抽出した都道府県名と、前記電話番号の市外局番に対応する都道府県名とを比較して、前記レストランの住所３２と前記電話番号３３とが対応しているか否かを判断する。対応していない場合には、次の電話番号について対応する施設があるか否かを判断する。
【００５６】
そして、前記住所３２と前記電話番号３３とが対応している場合、前記ＰＩＭ処理部２５は、認識した前記電話番号３３が正確であると判断し、前記レストランの住所３２、すなわち、施設の位置を特定する。続いて、前記ＰＩＭ処理部２５は、特定された施設の位置としての前記レストランの住所３２をＰＩＭデータベース２１に格納されている前記操作者に対応する個人ファイルに格納して登録する。この場合、位置特定情報としての前記住所３２は、前記操作者のスケジュールにおけるスケジュール項目の一つである行き先、すなわち、目的地としての指定地点として登録される。なお、前記スケジュールには、指定地点の名称も登録されることが望ましい。この場合、前記名称は、操作者が情報端末１２ａを操作して入力して登録されるようにしてもよいし、ＰＩＭ処理部２５によってテキストデータの中から抽出された施設の名称としてのレストランの名称３１が自動的に指定地点の名称として登録されるようにしてもよい。
【００５７】
また、前記操作者は、前記目的地に関連して日時データをスケジュール項目として登録することもできる。すなわち、目的地として登録された前記レストランに立ち寄る日時を日時データとしてスケジュールに登録日時として登録することもできる。この場合、前記日時データには、年、月、日、時、分のすべてが含まれていてもよいし、時又は分が省略されていてもよい。なお、前記操作者は、情報端末１２ａを操作して日時データ及び該日時データを登録する指示を入力し、前記情報提供サーバ１１に送信するようになっている。さらに、情報表示画面３０から抽出されたテキストデータに日時を示す語句が含まれている場合、前記ＰＩＭ処理部２５が前記日時を示す語句を抽出し、日時データをスケジュール項目として登録するようにしてもよい。
【００５８】
そして、前記ＰＩＭ処理部２５は、前記レストランの住所３２を登録すると、日時データがあるか否か、すなわち、登録を指示された前記日時データを受信しているか否かを判断する。そして、日時データがある場合、該日時データを前記レストランの住所３２と関連付けて、前記ＰＩＭデータベース２１に格納されている前記操作者に対応する個人ファイルに格納して予定日時として登録する。これにより、前記操作者のスケジュールにおいて、前記予定日時に指定地点としての前記レストランに立ち寄るという予定が登録される。
【００５９】
また、前記操作者は随時スケジュールを確認することができる。この場合、前記操作者は、情報端末１２ａを操作して前記情報提供サーバ１１にアクセスし、前記操作者に対応する個人ファイルに登録されているスケジュールを検索して所望のスケジュールを取得し、図３に示されるようなスケジュール表示４０を前記情報端末１２ａの表示装置に表示させる。この場合、日時、目的地の名称、目的地としての施設の住所３２、該施設の電話番号３３等のスケジュール項目を入力して、該当するスケジュールを検索するようになっている。
【００６０】
ここで、前記スケジュール表示４０には、図３に示されるように、スケジュール項目が予定されている日時としての予定日時を示す予定日時欄４１、スケジュール項目が予定されている指定地点としての地点又は施設の名称を示す名称欄４２、スケジュール項目に関するメモが示されるメモ欄４３、前記地点又は施設の住所３２を示す住所欄４４、前記施設の電話番号３３等の参照すべき電話番号が示されるＴＥＬ欄４５、スケジュール項目が登録された日付が示される登録日欄４６、及び、スケジュール項目が操作者以外の者から送信されたものである場合に、送信した者が示される送信者欄４７が表示される。これにより、操作者は、登録されたスケジュールの詳細を容易に把握することができる。なお、図３は、日時データが前記操作者に対応する個人ファイルに登録されておらず、予定日時欄４１が空白である例を示している。
【００６１】
また、日時データが前記操作者に対応する個人ファイルに登録されている場合、前記情報提供サーバ１１の情報提供部１３は、前記スケジュール項目が予定されている日時、すなわち、予定日時になると、指定地点として登録された前記レストランまでの経路を探索し、前記レストランまでの経路に関する情報としての経路情報及び前記経路の案内を行うための経路案内情報を作成する。この場合、経路探索部２４が、地図データベース１７、ＰＯＩデータベース１８、道路データベース１９及び交通情報データベース２０にアクセスして、前記レストランまでの経路を探索し、前記経路情報及び経路案内情報を作成する。そして、前記経路情報及び経路案内情報は、前記情報提供サーバ１１から車両に搭載されるナビゲーション装置である情報端末１２ａに送信される。続いて、該情報端末１２ａは、受信した経路情報及び経路案内情報に基づいて、表示装置に前記レストランまでの経路を表示させるとともに、該経路の案内を開始する。これにより、前記操作者は、案内に従って前記経路に沿って前記レストランまで容易に走行することができる。
【００６２】
なお、前記レストランまでの経路の探索、並びに、経路情報及び経路案内情報の作成は、予定日時になる前に行われ、情報端末１２ａに送信されるようにしてもよい。この場合、前記経路情報及び経路案内情報は、前記情報端末１２ａの記憶装置に格納され、前記予定日時になると、表示装置に指定地点としての前記レストランまでの経路が表示されるとともに前記経路の案内が開始される。
【００６３】
本実施の形態においては、情報提供サーバ１１のＰＩＭ処理部２５が情報表示画面３０のテキストデータから施設の住所３２及び施設の電話番号３３を抽出し、操作者のスケジュールにおけるスケジュール項目として登録し、前記情報提供サーバ１１の経路探索部２４が前記レストランまでの経路を探索して経路情報及び経路案内情報を作成する場合について説明した。これに対し、情報端末１２ａ又は情報端末１２ｂがＰＩＭ処理部２５、経路探索部２４等を有する場合には、前記情報端末１２ａ又は情報端末１２ｂが情報表示画面３０のテキストデータから施設の住所３２及び施設の電話番号３３を抽出したり、経路情報及び経路案内情報を作成したりするようにしてもよい。
【００６４】
次に、フローチャートについて説明する。まず、情報を表示する動作を示すフローチャートについて説明する。
ステップＳ１  情報表示画面３０から電話番号３３を抽出する。
ステップＳ２  抽出した電話番号３３から施設の住所３２を特定する。
ステップＳ３  特定した施設の住所３２を個人ファイルに登録する。
ステップＳ４  日時データがあるか否かを判断する。日時データがある場合はステップＳ５に進み、日時データがない場合は処理を終了する。
ステップＳ５  日時データを個人ファイルに登録する。
ステップＳ６  日時データに基づき経路が探索され、案内が開始され、処理を終了する。  次に、電話番号を抽出する動作を示すフローチャートについて説明する。
ステップＳ１−１  情報表示画面３０からテキストデータを抽出する。
ステップＳ１−２  抽出したテキストデータから数字データを検索するループを順に開始する。
ステップＳ１−３  四桁連続した数字データがあるか否かを判断する。四桁連続した数字データがある場合はステップＳ１−４に進み、ない場合はステップＳ１−８に進む。
ステップＳ１−４  前記四桁連続した数字データを含む前方の数字データを抽出する。
ステップＳ１−５  数字データの桁数が九又は十桁であるか否かを判断する。九又は十桁である場合はステップＳ１−６に進み、九又は十桁でない場合はステップＳ１−８に進む。
ステップＳ１−６  第一桁目の数字が０であるか否かを判断する。０である場合はステップＳ１−７に進み、０でない場合はステップＳ１−８に進む。
ステップＳ１−７  電話番号３３であると認識する。
ステップＳ１−８  ループを終了する。
【００６５】
次に、施設情報を登録する動作を示すフローチャートについて説明する。
ステップＳ２−１  ＰＯＩデータベース１８において、電話番号３３について対応する施設を検索する。
ステップＳ２−２  それぞれの電話番号３３について対応する施設があるか否かを判断する。ある場合はステップＳ２−３に進み、ない場合は次の電話番号について対応する施設があるか否かを判断する。
ステップＳ２−３  情報表示画面３０から施設の住所３２を抽出する。
ステップＳ２−４  施設の住所３２と電話番号３３とが対応しているか否かを判断する。対応している場合にはステップＳ２−５に進み、対応していない場合にはステップＳ２−２に戻る。
ステップＳ２−５  認識した電話番号３３が正確であると判断する。
ステップＳ２−６  施設の住所３２を特定する。
【００６６】
このように、本実施の形態においては、操作者が、仕事、勉強、趣味、スポーツ、外食、見物、買い物、雑用等の興味を有する事柄に関する情報が掲載されているウェブページを情報端末１２ａの表示装置に表示させ、前記ウェブページに掲載されている位置特定情報としての施設の住所３２や電話番号３３を取得する取得指示手段を操作すると、前記位置特定情報が自動的に指定地点の位置特定情報として操作者のスケジュールに登録されるようになっている。
【００６７】
そのため、操作者は、車両に搭載されるナビゲーション装置である情報端末１２ａに前記施設の住所３２や電話番号３３を入力して目的地を設定するための操作を行う必要がない。したがって、操作者は、時間をかけることなく容易に目的地を設定することができ、煩わしく感じることもない。さらに、前記施設の住所３２や電話番号３３を間違えて入力してしまうこともない。
【００６８】
次に、本発明の第２の実施の形態について説明する。なお、前記第１の実施の形態と同じ構成及び同じ動作については、その説明を省略する。
【００６９】
図７は本発明の第２の実施の形態における情報端末の表示画面を示す第１の図、図８は本発明の第２の実施の形態における情報端末の表示画面を示す第２の図である。
【００７０】
本実施の形態においては、前記情報表示画面３０に電話番号３３が複数含まれ、かつ、それぞれの電話番号３３に対応する施設がある場合の動作について説明する。この場合、前記ＰＩＭ処理部２５は、複数の施設を特定し、図７に示されるような候補施設一覧表示５０を作成する。そして、該候補施設一覧表示５０は、情報提供サーバ１１から情報端末１２ａに送信され、該情報端末１２ａの表示装置に表示される。ここで、前記候補施設一覧表示５０には、図７に示されるように、各施設の名称が表示される施設名称欄５１、及び、各施設の電話番号３３が示される電話番号欄５２が含まれる。なお、図７に示される例において、前記施設は銀行の支店である。
【００７１】
続いて、操作者は、情報端末１２ａを操作し、前記候補施設一覧表示５０の施設名称欄５１に含まれる施設、例えば、○○○○銀行△△支店を選択して、選択結果を前記情報提供サーバ１１に送信する。そして、前記ＰＩＭ処理部２５は、前記情報端末１２ａから受信した選択結果に従い、選択された施設としての○○○○銀行△△支店の名称、住所３２、電話番号３３等を登録する。また、前記操作者が、情報端末１２ａを操作して日時データ及び該日時データを登録する指示を入力し、前記情報提供サーバ１１に送信した場合には、日時データも予定日時として登録される。さらに、情報表示画面３０から抽出されたテキストデータに日時を示す語句が含まれている場合、前記ＰＩＭ処理部２５が前記日時を示す語句を抽出し、日時データをスケジュール項目として登録するようにしてもよい。
【００７２】
この場合、前記操作者は、情報端末１２ａを操作して前記情報提供サーバ１１にアクセスし、前記操作者に対応する個人ファイルに登録されているスケジュールを検索して所望のスケジュールを取得すると、図８に示されるようなスケジュール表示４０が前記情報端末１２ａの表示装置に表示される。本実施の形態においては、日時データが前記操作者に対応する個人ファイルに登録されているので、予定日時欄４１に予定日時、例えば、２００２年１２月１３日が表示されている。
【００７３】
そのため、前記情報提供サーバ１１の情報提供部１３は、前記予定日時、すなわち、２００２年１２月１３日になると、指定地点として登録された前記○○○○銀行△△支店までの経路を探索し、該経路に関する情報としての経路情報及び前記経路の案内を行うための経路案内情報を作成する。この場合、経路探索部２４が、地図データベース１７、ＰＯＩデータベース１８、道路データベース１９及び交通情報データベース２０にアクセスして、前記○○○○銀行△△支店までの経路を探索し、前記経路情報及び経路案内情報を作成する。そして、該経路情報及び経路案内情報は、前記情報提供サーバ１１から車両に搭載されるナビゲーション装置である情報端末１２ａに送信される。なお、前記○○○○銀行△△支店までの経路の探索、並びに、経路情報及び経路案内情報の作成は、予定日時になる前に行われ、情報端末１２ａに送信されるようにしてもよい。この場合、前記経路情報及び経路案内情報は、前記情報端末１２ａの記憶装置に格納され、前記スケジュール項目が予定日時になると、表示装置に前記○○○○銀行△△支店までの経路が表示されるとともに前記経路の案内が開始される。
【００７４】
続いて、該情報端末１２ａは、受信した経路情報及び経路案内情報に基づいて、表示装置に前記○○○○銀行△△支店までの経路を表示させるとともに、前記経路の案内を開始する。これにより、前記操作者は、案内に従って前記経路に沿って前記○○○○銀行△△支店まで容易に走行することができる。
【００７５】
このように、本実施の形態においては、ウェブページに施設の位置特定情報としての施設の住所３２や電話番号３３が複数掲載されている場合、候補施設一覧表示５０が作成され、操作者が前記候補施設一覧表示５０の中から所望の施設を選択すると、該施設の位置特定情報が自動的に指定地点の位置特定情報として操作者のスケジュールに登録されるようになっている。そのため、ウェブページに位置特定情報としての施設の住所３２や電話番号３３が複数掲載されている場合であっても、操作者は、時間をかけることなく容易に目的地を設定することができ、煩わしく感じることもない。
【００７６】
また、予定日時の日時データが登録されている場合、前記予定日時になると、自動的に指定地点までの経路の案内が開始されるので、前記操作者は、案内に従って前記指定地点まで容易に走行することができる。
【００７７】
次に、本発明の第３の実施の形態について説明する。なお、前記第１及び第２の実施の形態と同じ構成及び同じ動作については、その説明を省略する。
【００７８】
本実施の形態においては、登録された予定日時の当日になる前に予定があることが事前に報知される場合について説明する。この場合、前記第２の実施の形態と同様に、予定日時のデータである日時データが登録されているものとする。
【００７９】
そして、登録されたスケジュールが事前に報知されるようにするために、スケジュールの事前報知が設定される。ここで、前記スケジュールが報知されるタイミングは、前記予定日時の前であり、操作者によってあらかじめ設定されるが、本実施の形態においては、前日に情報端末１２ａの電源をオンにした直後にスケジュールが報知される場合について説明する。
【００８０】
この場合、操作者が情報端末１２ａを操作して該情報端末１２ａの電源をオンにすると、前記情報端末１２ａは、表示装置に次の日に予定がある旨の事前報知を表示させる。なお、前記情報端末１２ａが車両に搭載されるナビゲーション装置である場合、通常、車両のエンジンが起動されると自動的に電源がオンされるので、操作者は情報端末１２ａを操作して電源をオンにする必要がない。
【００８１】
そして、操作者が情報端末１２ａを操作すると、前記事前報知に対応するスケジュール表示として、前記図８に示されるようなスケジュール表示４０が表示装置に表示される。これにより、操作者は、入力したスケジュールの詳細を容易に事前に把握することができる。
【００８２】
ここで、前記スケジュールが報知されるタイミングは、操作者が適宜設定することができることが望ましい。この場合、予定日時の前日、二日前等のように日単位で設定されてもよいし、前日の夕方、前日の１８：００〜２２：００、当日の朝等のように時間帯を設定することができるようにしてもよい。さらに、前記時間帯を早朝、朝、昼間、夜間、深夜等のように大まかに設定することもできる。
【００８３】
また、情報端末１２ａがナビゲーション装置、携帯電話機等のように現在位置検出装置を有するものである場合、前日の自宅に帰宅する時、当日の勤務先に出勤する時等のように位置を含む条件を設定することもできる。例えば、前日の自宅に帰宅する時にスケジュールが報知されるように設定されると、前日に前記情報端末１２ａがあらかじめ登録されている自宅の周辺の所定範囲、例えば、自宅から半径５００〔ｍ〕以内の地域に進入すると、登録されたスケジュールが報知される。また、当日の勤務先に出勤する時にスケジュールが報知されるように設定されると、当日に前記情報端末１２ａがあらかじめ登録されている勤務先の周辺の所定範囲、例えば、勤務先から半径５００〔ｍ〕以内の地域に進入すると、登録されたスケジュールが報知される。なお、位置のみを前記スケジュールが報知される条件とすることもできる。例えば、自宅付近の駅、好みの百貨店、公園等をあらかじめ所定位置として設定し、前記情報端末１２ａが該所定位置の周辺の所定範囲に進入した場合に、常時、当日や翌日のスケジュールが報知されるようにすることもできる。
【００８４】
さらに、前記スケジュールの事前報知の形態は、表示装置に表示させることによる報知であってもよいし、音声や特定の音楽、チャイム等の音による報知であってもよい。例えば、スケジュールの事前報知の条件が前日の夕方に自宅に帰宅する時である場合、「明日、○○会社で○時○分から打ち合わせをすることになっています。」というアナウンスが、女性の音声で行われるようにすることができる。なお、音声の種類は、男性の声、女性の声等を操作者が適宜設定することができることが望ましい。さらに、あらかじめ登録された家族の声、友人の声、俳優の声、歌手の声等を設定することができるようにしてもよい。
【００８５】
また、時間帯によって、表示による報知と音による報知を自動的に切り替えたり、報知する内容を自動的に選択するようにしてもよい。例えば、時間帯が早朝、朝、昼間、夜間、深夜等のように大まかに設定されている場合、早朝には、当日の予定は音によって報知し、翌日の予定は表示によって報知する。そして、朝及び昼間には、当日の予定は音及び表示によって報知し、翌日の予定は表示によって報知する。また、夜間及び深夜には、当日及び翌日の予定を表示によって報知する。
【００８６】
さらに、前記スケジュールの事前報知は、他の情報端末１２ｂに送信することによる報知であってもよい。例えば、情報端末１２ｂが携帯電話機、ＰＨＳ電話機、携帯情報端末、ＰＤＡ等のように、操作者が常時身に付けている機器であったり、家庭や職場に配設されたパーソナルコンピュータのように、操作者が常時操作する機器である場合には、前記スケジュールが情報端末１２ｂの表示装置やスピーカ等によって報知されるようにしてもよい。
【００８７】
なお、操作者以外の者、すなわち、他者から送信されたスケジュールを登録して事前に報知するようにしてもよい。この場合、前記他者は、あらかじめ情報表示システムに登録され、登録ＩＤを所有する者である。そして、前記他者は、一般的に、操作者の友人、知人、家族等であり、ＰＩＭデータベース２１に格納されている操作者の個人ファイルに送受信相手、すなわち、フレンドとして登録されていることが望ましいが、フレンドとして登録されていなくてもよい。
【００８８】
まず、前記他者が自己の情報端末から操作者宛にスケジュールをネットワーク２７を介して情報提供サーバ１１に送信する。ここで、前記スケジュールは、例えば、仕事上の会議、宴会、パーティー、デート、待ち合わせ等に関し、日時、地点等を含むものである。そして、前記スケジュールは、送信者欄に送信者が入力されている場合、フレンドリンクであると認識され、フレンドリンクファイルに格納される。ここで、フレンドリンクとは他者から操作者宛に送信された個人的情報である。また、フレンドリンクが格納されるフレンドリンクファイルは、前記ＰＩＭデータベース２１内に、それぞれの個人ファイルに対応させて、格納されている。
【００８９】
これにより、操作者は、自分で作成したスケジュールだけでなく、友人、知人、家族等の他者から送信されたスケジュールを把握することができる。ここで、他者から送信されたスケジュールが、操作者自身も参加する仕事上の会議、宴会、パーティー、デート、待ち合わせ等である場合、操作者は、前記他者から送信されたスケジュールを操作者の個人ファイルにコピーする。
【００９０】
これにより、操作者は、友人、知人、家族等の他者から送信されたスケジュールを自分のスケジュールとして個人ファイルに格納し、前記スケジュールの事前報知を設定することができる。そのため、操作者は、他者から送信されたスケジュールを自分のスケジュールとしてそのまま利用することができるので、前記スケジュールを作成し直す必要がなく、煩わしさを感じることがない。
【００９１】
このように、本実施の形態においては、登録されたスケジュールが、表示や音によって事前に報知されるようになっている。そのため、操作者は、スケジュールを事前に把握することができ、慌てることがない。
【００９２】
また、前記スケジュールが報知される条件を操作者が適宜設定することができるので、操作者は自分にとって最適な条件で、スケジュールを事前に把握することができる。さらに、前記スケジュールが報知される形態として表示による報知や音による報知を設定することができるので、操作者は自分にとって最適な形態で、スケジュールを事前に把握することができる。
【００９３】
したがって、操作者は、登録されたスケジュールを事前に確実に容易に把握することができる。
【００９４】
次に、本発明の第４の実施の形態について説明する。なお、前記第１〜第３の実施の形態と同じ構成及び同じ動作については、その説明を省略する。
【００９５】
図９は本発明の第４の実施の形態における登録されたスケジュールを案内する動作を示すフローチャートである。
【００９６】
本実施の形態においては、情報端末１２ａの現在位置から所定の範囲内に存在する指定地点が情報端末１２ａの表示装置に表示されて報知されるようになっている。なお、該報知の形態は、表示装置に表示させることによる報知であってもよいし、音声や特定の音楽、チャイム等の音による報知であってもよいが、ここでは、指定地点が情報端末１２ａの表示装置に表示されて報知される場合について説明する。また、前記所定の範囲は、例えば、現在位置から半径Ｎ〔ｋｍ〕の範囲である。ここで、前記Ｎの値は操作者が適宜設定することができる。この場合、操作者は、広い範囲であっても狭い範囲であってもよく、任意の地域範囲に存在する指定地点を把握することができる。
【００９７】
また、前記操作者は、情報端末１２ａの現在位置に代えて、登録地点や地図上の任意の地点を選択して、該選択した地点周辺の地域における指定地点を確認することもできる。すなわち、現在位置周辺の地域における指定地点を確認する場合、現在位置は任意に設定することができる。この場合、操作者は、現在位置以外の地点であっても、任意の地点の周辺に存在する指定地点を容易に把握することができる。なお、本実施の形態においては、現在位置が情報端末１２ａの現在位置であり、Ｎ＝０．５である場合、すなわち、前記情報端末１２ａの現在位置から半径５００〔ｍ〕以内の地域に存在する指定地点が情報端末１２ａの表示装置に表示される場合について説明する。
【００９８】
そして、前記指定地点が情報端末１２ａの現在位置から半径５００〔ｍ〕以内の地域に存在すると判断された場合、続いて、現在日時が指定期間内であるか否かが判断される。ここで、該指定期間は、登録されたスケジュールが報知される期間であり、あらかじめ前記操作者によって指定され登録された期間である。そして、現在日時が指定期間内である場合、前記指定地点が情報端末１２ａの表示装置に表示されて報知されると、前記操作者は、前記指定地点に立ち寄る予定があることを容易に把握することができる。なお、現在位置から半径５００〔ｍ〕以内の地域に存在する指定地点であっても、現在日時が前記指定期間内でない場合、前記指定地点は情報端末１２ａの表示装置に表示されない。
【００９９】
続いて、前記指定地点が情報端末１２ａの表示装置に表示されて報知されると、前記指定地点に立ち寄るか否かを選択するための選択手段としての立寄選択ボタンが前記表示装置に表示される。ここで、前記立寄選択ボタンは、立ち寄ることを選択するための立寄ボタン、及び、立ち寄らないことを選択するための不立寄ボタンから成る。そして、操作者は立寄ボタン又は不立寄ボタンを押すことによって、指定地点に立ち寄るか否かを選択する。なお、前記立寄選択ボタンは単一であってもよい。この場合、立寄選択ボタンを押すと、指定地点に立ち寄ることが選択されたと判断される。
【０１００】
そして、指定地点に立ち寄ることが選択されたことが情報端末１２ａから情報提供サーバ１１に送信されると、経路探索部２４によって、現在位置から目的地としての指定地点までの経路についての経路探索が開始される。続いて、経路情報及び経路案内情報が、情報提供サーバ１１の送受信部１４から情報端末１２ａに送信され、該情報端末１２ａによって探索された経路についての経路案内が行われる。ここで、前記情報端末１２ａは、受信した経路情報及び経路案内情報に基づいて、表示装置に前記指定地点までの経路を表示させるとともに、前記経路の案内を開始する。なお、指定地点に立ち寄らないことが選択されると、経路探索も経路案内も行われない。
【０１０１】
続いて、情報端末１２ａの現在位置に基づいて、目的地としての指定地点に到着したか否かが判断される。そして、前記指定地点に到着した場合、該指定地点に立ち寄るというスケジュールに関するデータとしての予定データがファイルから削除される。なお、前記指定地点に到着していない場合、前記予定データは削除されず、前述された動作が繰り返される。
【０１０２】
次に、フローチャートについて説明する。
ステップＳ１１  指定地点から５００〔ｍ〕以内か否かを判断する。５００〔ｍ〕以内である場合はステップＳ１２に進み、５００〔ｍ〕以内でない場合は処理を終了する。
ステップＳ１２  現在日時が指定期間内であるか否かを判断する。指定期間内である場合はステップＳ１３に進み、指定期間内でない場合は処理を終了する。
ステップＳ１３  指定地点が報知される。
ステップＳ１４  指定地点に立ち寄るか否かを判断する。立ち寄る場合はステップＳ１５に進み、立ち寄らない場合は処理を終了する。
ステップＳ１５  経路を探索し、案内を開始する。
ステップＳ１６  指定地点に到着したか否かを判断する。到着した場合はステップＳ１７に進み、到着しない場合は処理を終了する。
ステップＳ１７  予定データをファイルから削除する。
【０１０３】
このように、本実施の形態においては、予定した行き先として登録した指定地点から所定の範囲内に近付くと、前記指定地点が存在することが報知されるようになっている。そのため、操作者は予定を遵守することができる。
【０１０４】
次に、本発明の第５の実施の形態について説明する。なお、前記第１〜第４の実施の形態と同じ構成及び同じ動作については、その説明を省略する。
【０１０５】
図１０は本発明の第５の実施の形態における登録された予定日時を変更する動作を示すフローチャートである。
【０１０６】
本実施の形態においては、予定日時を経過した場合の動作について説明する。この場合、スケジュール項目が予定されている日時としての日時データが操作者に対応する個人ファイルにあらかじめ登録されているものとする。
【０１０７】
まず、ＰＩＭ処理部２５は、操作者に対応する個人ファイルに登録されている指定地点に対応する日時データを検索する。この場合、前記操作者に対応する個人ファイルに登録されているスケジュールに含まれるすべての指定地点に関し、対応する日時データを順次検索する。続いて、前記ＰＩＭ処理部２５は、指定地点に立ち寄る予定日時の日時データが登録されているか否か、すなわち、予定日時が登録されているか否かを判断する。そして、登録されていない場合は、処理を終了して、次の指定地点に関し、対応する日時データを検索する。
【０１０８】
また、前記予定日時が登録されている場合、前記ＰＩＭ処理部２５は、現在日時が予定日時を経過したか否かを判断する。そして、経過していない場合は、処理を終了して、次の指定地点に関し、対応する日時データを検索する。また、経過した場合、予定日時を経過した旨が情報提供サーバ１１から情報端末１２ａに送信され、該情報端末１２ａの表示装置に予定日時を経過した旨が表示されて報知される。なお、該報知の形態は、表示装置に表示させることによる報知であってもよいし、音声や特定の音楽、チャイム等の音による報知であってもよいが、ここでは、情報端末１２ａの表示装置に表示されて報知される場合について説明する。
【０１０９】
続いて、予定日時を経過した旨が情報端末１２ａの表示装置に表示されて報知されると、前記予定日時を変更するか否かを選択するための選択手段としての予定日時変更選択ボタンが前記表示装置に表示される。ここで、前記予定日時変更選択ボタンは、予定日時を変更することを選択するための変更ボタン、及び、予定日時を変更しないことを選択するための不変更ボタンから成る。そして、操作者は変更ボタン又は不変更ボタンを押すことによって、予定日時を変更するか否かを選択する。なお、前記予定日時変更選択ボタンは単一であってもよい。この場合、予定日時変更選択ボタンを押すと、予定日時を変更することが選択されたと判断される。また、予定日時を変更することが選択された場合には、変更後の予定日時が前記操作者によって入力される。
【０１１０】
そして、予定日時を変更することが選択された旨、及び、前記操作者によって入力された変更後の予定日時が情報端末１２ａから情報提供サーバ１１に送信されると、前記ＰＩＭ処理部２５は、登録されている予定日時を前記操作者によって入力された変更後の予定日時に更新して処理を終了し、次の指定地点に関し、対応する日時データを検索する。
【０１１１】
また、予定日時を変更しないことが選択された旨が情報端末１２ａから情報提供サーバ１１に送信されると、前記ＰＩＭ処理部２５は、前記指定地点に関して登録されているデータ、すなわち、予定日時を経過したスケジュールを削除して処理を終了し、次の指定地点に関し、対応する日時データを検索する。
【０１１２】
次に、フローチャートについて説明する。
ステップＳ２１  指定地点に対応する日時データを検索するループを順に開始する。
ステップＳ２２  予定日時が登録されているか否かを判断する。登録されている場合はステップＳ２３に進み、登録されていない場合はステップＳ２８に進む。ステップＳ２３  現在日時が予定日時を経過したか否かを判断する。経過した場合はステップＳ２４に進み、経過しない場合はステップＳ２８に進む。
ステップＳ２４  予定日時を経過した旨を報知する。
ステップＳ２５  予定日時を変更するか否かを判断する。変更する場合はステップＳ２６に進み、変更しない場合はステップＳ２７に進む。
ステップＳ２６  予定日時を変更する。
ステップＳ２７  データを削除する。
ステップＳ２８  ループを終了する。
【０１１３】
このように、本実施の形態においては、予定日時を経過したスケジュールは自動的に削除されるようになっている。そのため、操作者に対応する個人ファイルのメモリ資源を浪費することがない。
【０１１４】
なお、本発明は前記実施の形態に限定されるものではなく、本発明の趣旨に基づいて種々変形させることが可能であり、それらを本発明の範囲から排除するものではない。
【０１１５】
【発明の効果】
以上詳細に説明したように、本発明によれば、施設情報画面に掲載された情報を自動的に取得して登録することができる。
【図面の簡単な説明】
【図１】本発明の第１の実施の形態における情報端末の表示画面を示す第１の図である。
【図２】本発明の第１の実施の形態における情報表示システムの構成を示す概念図である。
【図３】本発明の第１の実施の形態における情報端末の表示画面を示す第２の図である。
【図４】本発明の第１の実施の形態における情報を表示する動作を示すフローチャートである。
【図５】本発明の第１の実施の形態における電話番号を抽出する動作を示すフローチャートである。
【図６】本発明の第１の実施の形態における施設情報を登録する動作を示すフローチャートである。
【図７】本発明の第２の実施の形態における情報端末の表示画面を示す第１の図である。
【図８】本発明の第２の実施の形態における情報端末の表示画面を示す第２の図である。
【図９】本発明の第４の実施の形態における登録されたスケジュールを案内する動作を示すフローチャートである。
【図１０】本発明の第５の実施の形態における登録された予定日時を変更する動作を示すフローチャートである。
【符号の説明】
１１    情報提供サーバ
１２ａ、１２ｂ    情報端末
１４    送受信部
２１    ＰＩＭデータベース
２４    経路探索部
２５    ＰＩＭ処理部
３２    住所
３３    電話番号
【図１】
2004198158.tif 000003
【図２】
2004198158.tif 000004
【図３】
2004198158.tif 000005
【図４】
2004198158.tif 000006
【図５】
2004198158.tif 000007
【図６】
2004198158.tif 000008
【図７】
2004198158.tif 000009
【図８】
2004198158.tif 000010
【図９】
2004198158.tif 000011
【図１０】
2004198158.tif 000012